(57)【要約】【課題】一時的に受信不能となった放送の、受信可能放送としての登録の復帰を速やかに行う「ラジオ放送受信装置」を提供する。【解決手段】受信可能な放送の周波数とPIが調査されステーション情報としてステーションリストに登録される。電波の受信環境の劣化が検出されたならば、検出直前のステーションリスト(ａ）を待避リストとして保存する。その後、ステーションリストにｎ個のステーション情報が追加されると（ｄ１）、追加されたステーション情報の全てが待避リストに登録されているかどうかを調べ、登録されている場合、待避リストに登録されている各ステーション情報に登録されている周波数の周波数チャネルの受信品質を、当該周波数チャネルからPIを取得することなく調査し、受信品質が良好な周波数のステーション情報をステーションリストに登録する（ｅ）。【選択図】図７
2019033367.tif 000002
【特許請求の範囲】
【請求項１】
周波数チャネルを用いて伝送される、番組識別情報を含むデータが音声に多重化された放送を受信するラジオ放送受信装置であって、
放送を受信し、当該放送で受信した音声を出力する受信出力手段と、
周波数と番組識別情報を含むステーション情報が登録されるステーションリストと、
受信品質が良好な周波数チャネルを探索し、探索した周波数チャネルの放送から番組識別情報を取得し、探索した周波数チャネルの周波数と当該周波数チャネルの放送から取得した番組識別情報を前記ステーション情報として前記ステーションリストに登録すると共に、受信品質が不良な周波数チャネルの周波数を含むステーション情報を前記ステーションリストから削除するステーション情報登録手段と、
放送電波の受信環境劣化を検出し、放送電波の受信環境劣化を検出したときに、当該検出直前に前記ステーションリストに登録されていた各ステーション情報を登録したリストを待避リストとして保存する待避リスト保存手段と、
前記待避リスト保存手段が前記放送電波の受信環境劣化を検出した後の放送電波の受信環境の改善を検出し、放送電波の受信環境が改善したときに、前記ステーションリストに登録されているステーション情報のうちの、前記待避リスト保存手段が前記放送電波の受信環境劣化を検出した後に前記ステーションリストに登録されたステーション情報の全てが、保存している待避リストに登録されているかどうかを調べ、登録されている場合に、待避リストに登録されているステーション情報のうちの少なくとも前記ステーションリストに登録されていない各ステーション情報について、当該ステーション情報に含まれる周波数の周波数チャネルの受信品質が良好であるかどうかを調べ、良好である場合に、当該ステーション情報を前記ステーションリストに登録するステーション情報復帰手段とを有することを特徴とするラジオ放送受信装置。
【請求項２】
周波数チャネルを用いて伝送される、番組識別情報を含むデータが音声に多重化された放送を受信するラジオ放送受信装置であって、
放送を受信し、当該放送で受信した音声を出力する受信出力手段と、
周波数と番組識別情報を含むステーション情報が登録されるステーションリストと、
受信品質が良好な周波数チャネルを探索し、探索した周波数チャネルの放送から番組識別情報を取得し、探索した周波数チャネルの周波数と当該周波数チャネルの放送から取得した番組識別情報を前記ステーション情報として前記ステーションリストに登録すると共に、受信品質が不良な周波数チャネルの周波数を含むステーション情報を前記ステーションリストから削除するステーション情報登録手段と、
放送電波の受信環境劣化を検出し、放送電波の受信環境劣化を検出したときに、当該検出直前に前記ステーションリストに登録されていた各ステーション情報を登録したリストを待避リストとして保存する待避リスト保存手段と、
前記待避リスト保存手段が前記放送電波の受信環境劣化を検出した後の放送電波の受信環境の改善を検出し、放送電波の受信環境が改善したときに、前記ステーションリストに登録されているステーション情報のうちの、前記待避リスト保存手段が前記放送電波の受信環境劣化を検出した後に前記ステーションリストに登録されたステーション情報の全てが、保存している待避リストに登録されているかどうかを調べ、登録されている場合に、待避リストに登録されているステーション情報のうちの少なくとも前記ステーションリストに登録されていない各ステーション情報を前記ステーションリストに登録するステーション情報復帰手段とを有することを特徴とするラジオ放送受信装置。
【請求項３】
請求項１または２記載のラジオ放送受信装置であって、
前記待避リスト保存手段は、前記ステーションリストのステーション情報の登録数が所定レベル以上大きく減少方向に変化したときに前記放送電波の受信環境劣化を検出することを特徴とするラジオ放送受信装置。
【請求項４】
請求項１、２または３記載のラジオ放送受信装置であって、
前記ステーション情報復帰手段は、前記待避リスト保存手段が前記放送電波の受信環境劣化を検出した後に、前記ステーションリストに所定数のステーション情報が登録されたときに、前記放送電波の受信環境の改善を検出することを特徴とするラジオ放送受信装置。
【請求項５】
請求項１、２、３または４記載のラジオ放送受信装置であって、
前記放送は、RDS（Radio Data System）によってデータが音声に多重化されているＦＭ放送であり、前記番組識別情報は、ＦＭ放送に多重化されているデータに含まれるPI(Program Identification)であることを特徴とするラジオ放送受信装置。
【請求項６】
請求項１、２、３、４または５記載のラジオ放送受信装置であって、
ユーザの、前記ステーションリストにステーション情報が登録されている放送の選択に応じて、前記受信出力手段に、選択された放送の前記ステーションリストに登録されているステーション情報に含まれる周波数の周波数チャネルの受信と、当該周波数チャネルで受信した音声の出力を開始させる受信制御手段を有することを特徴とするラジオ放送受信装置。
【請求項７】
請求項１、２、３、４、５または６記載のラジオ放送受信装置であって、
当該ラジオ放送受信装置は、自動車に搭載される車載のラジオ放送受信装置であることを特徴とするラジオ放送受信装置。
【発明の詳細な説明】
【技術分野】
【０００１】
本発明は、ラジオ放送受信装置において受信可能な放送を探索する技術に関するものである。
【背景技術】
【０００２】
ラジオ放送受信装置において受信可能な放送を探索する技術としては、番組サービスの識別を表すPI(Program Identification)等を含むRDS（Radio Data System）データが音声に多重化されて放送されるラジオ放送を受信するラジオ放送受信装置において、受信電界強度が所定のしきい値より大きい周波数チャネルを受信可能な周波数チャネルとして探索し、探索した周波数チャネルの周波数と当該周波数チャネルから取得したPIを登録したテーブルを作成する技術が知られている（たとえば、特許文献１）。
【０００３】
ここで、この技術では、電波の受信が困難なエリアに進入したときに、電波の受信が困難なエリアから退出するまで、テーブルに登録されている各放送の周波数とPIを維持すると共に、テーブルに登録されている各放送の周波数の周波数チャネルの受信電界強度を、当該周波数チャネルからPIを取得することなく監視して、テーブルに登録されている受信電界強度が所定のしきい値より大きい周波数チャネルの放送の周波数とPIを、受信可能な放送の周波数とPIとして取り扱い、受信電界強度が所定のしきい値より大きくない周波数チャネルの放送の周波数とPIを、受信不能な放送の周波数とPIとして取り扱う。そして、電波の受信が困難なエリアから退出したならば、テーブルに登録されている受信電界強度が所定のしきい値より大きくない周波数チャネルの放送の周波数とPIを削除する。
【０００４】
このような技術によれば、地下駐車場内やトンネル内などの電波の受信が困難なエリアに進入したために一時的に受信不能となった放送が受信可能な状態に遷移したときの、当該放送の受信可能な放送としてテーブルへの登録の復帰を速やかに行うことができるようになる。
【先行技術文献】
【特許文献】
【０００５】
【特許文献１】特開２０１３-１７５９６７号公報
【発明の概要】
【発明が解決しようとする課題】
【０００６】
上述した、電波の受信が困難なエリアに進入した時点でテーブルに登録されていた周波数とPIの放送の受信可能の判定を、PIを取得することなく当該放送の周波数チャネルの受信電界強度のみから判定して、当該放送の周波数とPIを、受信可能な放送の周波数とPIとして取り扱う技術によれば、次のような問題が生じることがある。
【０００７】
すなわち、長いトンネルに進入したことにより電波の受信が困難となった場合などには、トンネルの入口と出口とで、異なる放送が同じ周波数で受信可能となる場合がある。
そして、この場合、上述した技術によれば、トンネルに進入した時点でテーブルに登録されていた各放送の周波数の周波数チャネルの受信電界強度のチェックのみで、当該放送の周波数とPIを、受信可能な放送の周波数とPIとして取り扱うので、トンネルの退出時に、誤ったPIが受信可能な放送のPIとしてテーブルに登録されてしまうことなる。
【０００８】
具体的には、たとえば、トンネルの入口で周波数ａの周波数チャネルの放送として放送Ａのみが受信可能であり、トンネルの入口で周波数ａの放送として放送Ｂのみが受信可能であった場合には、トンネルの出口で、放送Ｂが受信可能となると、テーブルには、周波数ａの放送のPIとして、当該時点で周波数ａで受信可能な放送ＢのPIではなく、放送ＡのPIが不適正にテーブルに登録されてしまうこととなる。
【０００９】
そこで、本発明は、一時的に受信不能となった放送が受信可能な状態に遷移したときの、当該放送の受信可能な放送としての登録の復帰を速やか、かつ、より適正に行うことを課題とする。
【課題を解決するための手段】
【００１０】
前記課題達成のために、本発明は、周波数チャネルを用いて伝送される、番組識別情報を含むデータが音声に多重化された放送を受信するラジオ放送受信装置に、放送を受信し、当該放送で受信した音声を出力する受信出力手段と、周波数と番組識別情報を含むステーション情報が登録されるステーションリストと、受信品質が良好な周波数チャネルを探索し、探索した周波数チャネルの放送から番組識別情報を取得し、探索した周波数チャネルの周波数と当該周波数チャネルの放送から取得した番組識別情報を前記ステーション情報として前記ステーションリストに登録すると共に、受信品質が不良な周波数チャネルの周波数を含むステーション情報を前記ステーションリストから削除するステーション情報登録手段と、放送電波の受信環境劣化を検出し、放送電波の受信環境劣化を検出したときに、当該検出直前に前記ステーションリストに登録されていた各ステーション情報を登録したリストを待避リストとして保存する待避リスト保存手段と、前記待避リスト保存手段が前記放送電波の受信環境劣化を検出した後の放送電波の受信環境の改善を検出し、放送電波の受信環境が改善したときに、前記ステーションリストに登録されているステーション情報のうちの、前記待避リスト保存手段が前記放送電波の受信環境劣化を検出した後に前記ステーションリストに登録されたステーション情報の全てが、保存している待避リストに登録されているかどうかを調べ、登録されている場合に、待避リストに登録されているステーション情報のうちの少なくとも前記ステーションリストに登録されていない各ステーション情報について、当該ステーション情報に含まれる周波数の周波数チャネルの受信品質が良好であるかどうかを調べ、良好である場合に、当該ステーション情報を前記ステーションリストに登録するステーション情報復帰手段とを備えたものである。
【００１１】
このようなラジオ放送受信装置によれば、放送電波の受信環境が劣化した後に放送電波の受信環境が改善したときに、放送電波の受信環境が劣化する直前と現時点で受信できる放送に相違がないことを、前記ステーションリストに登録されているステーション情報のうちの、前記放送電波の受信環境劣化を検出した後に前記ステーションリストに登録されたステーション情報の全てが、放送電波の受信環境劣化前のステーションリストのステーション情報が登録された待避リストに登録されているかどうかより推定し、相違がないことを推定できる場合に、待避リストに登録されている各ステーション情報に登録されている周波数の周波数チャネルの受信品質を、当該周波数チャネルから番組識別情報を取得することなく調査し、受信品質が良好な周波数のステーション情報をステーションリストに登録する。
【００１２】
よって、電波の受信が困難なエリアに進入したために放送電波の受信環境が劣化し一時的に受信不能となった各放送のステーション情報のステーションリストへの登録、すなわち、一時的に受信不能となった放送のステーション情報のステーションリストへの復帰が、放送電波の受信環境の回復時に迅速に行われる。
ここで、放送電波の受信環境が劣化する直前と、放送電波の受信環境が改善したときに、番組識別情報が異なる放送が周波数が同じ周波数チャネルで放送されていても、両放送のステーション情報は異なるので、放送電波の受信環境が劣化する直前と現時点で受信できる放送に相違がないとは推定されず、放送電波の受信環境が劣化する直前に受信でき、かつ、現在受信できない放送のステーション情報が誤って待避リストからステーションリストに復帰してしまうことは抑止される。
【００１３】
よって、一時的に受信不能となった放送が受信可能な状態に遷移したときの、当該放送のステーションリストの登録の復帰を適正に行うことができる。
また、前記課題達成のために、本発明は、周波数チャネルを用いて伝送される、番組識別情報を含むデータが音声に多重化された放送を受信するラジオ放送受信装置に、放送を受信し、当該放送で受信した音声を出力する受信出力手段と、周波数と番組識別情報を含むステーション情報が登録されるステーションリストと、受信品質が良好な周波数チャネルを探索し、探索した周波数チャネルの放送から番組識別情報を取得し、探索した周波数チャネルの周波数と当該周波数チャネルの放送から取得した番組識別情報を前記ステーション情報として前記ステーションリストに登録すると共に、受信品質が不良な周波数チャネルの周波数を含むステーション情報を前記ステーションリストから削除するステーション情報登録手段と、放送電波の受信環境劣化を検出し、放送電波の受信環境劣化を検出したときに、当該検出直前に前記ステーションリストに登録されていた各ステーション情報を登録したリストを待避リストとして保存する待避リスト保存手段と、前記待避リスト保存手段が前記放送電波の受信環境劣化を検出した後の放送電波の受信環境の改善を検出し、放送電波の受信環境が改善したときに、前記ステーションリストに登録されているステーション情報のうちの、前記待避リスト保存手段が前記放送電波の受信環境劣化を検出した後に前記ステーションリストに登録されたステーション情報の全てが、保存している待避リストに登録されているかどうかを調べ、登録されている場合に、待避リストに登録されているステーション情報のうちの少なくとも前記ステーションリストに登録されていない各ステーション情報を前記ステーションリストに登録するステーション情報復帰手段とを備えたものである。
【００１４】
このようなラジオ放送受信装置によれば、放送電波の受信環境が劣化した後に放送電波の受信環境が改善したときに、放送電波の受信環境が劣化する直前と現時点で受信できる放送に相違がないことを、前記ステーションリストに登録されているステーション情報のうちの、前記放送電波の受信環境劣化を検出した後に前記ステーションリストに登録されたステーション情報の全てが、放送電波の受信環境劣化前のステーションリストのステーション情報が登録された待避リストに登録されているかどうかより推定し、相違がないことを推定できる場合に、待避リストに登録されている各ステーション情報をステーションリストに登録する。
【００１５】
よって、電波の受信が困難なエリアに進入したために放送電波の受信環境が劣化し一時的に受信不能となった各放送のステーション情報のステーションリストへの登録、すなわち、一時的に受信不能となった放送のステーション情報のステーションリストへの復帰が、放送電波の受信環境の回復時に迅速に行われる。
ここで、放送電波の受信環境が劣化する直前と、放送電波の受信環境が改善したときに、番組識別情報が異なる放送が周波数が同じ周波数チャネルで放送されていても、両放送のステーション情報は異なるので、放送電波の受信環境が劣化する直前と現時点で受信できる放送に相違がないとは推定されず、放送電波の受信環境が劣化する直前に受信でき、かつ、現在受信できない放送のステーション情報が誤って待避リストからステーションリストに復帰してしまうことは抑止される。
【００１６】
よって、一時的に受信不能となった放送が受信可能な状態に遷移したときの、当該放送のステーションリストの登録の復帰を適正に行うことができる。
ここで、以上のようなラジオ放送受信装置は、前記待避リスト保存手段において、前記ステーションリストのステーション情報の登録数が所定レベル以上大きく減少方向に変化したときに前記放送電波の受信環境劣化を検出するように構成してもよい。
【００１７】
また、以上のラジオ放送受信装置は、前記ステーション情報復帰手段において、前記待避リスト保存手段が前記放送電波の受信環境劣化を検出した後に、前記ステーションリストに所定数のステーション情報が登録されたときに、前記放送電波の受信環境の改善を検出するように構成してもよい。
【００１８】
また、以上のラジオ放送受信装置において、前記放送は、RDS（Radio Data System）によってデータが音声に多重化されているＦＭ放送であり、前記番組識別情報は、ＦＭ放送に多重化されているデータに含まれるPI(Program Identification)であってよい。
【００１９】
また、以上のラジオ放送受信装置には、ユーザの、前記ステーションリストにステーション情報が登録されている放送の選択に応じて、前記受信出力手段に、選択された放送の前記ステーションリストに登録されているステーション情報に含まれる周波数の周波数チャネルの受信と、当該周波数チャネルで受信した音声の出力を開始させる受信制御手段を備えるようにしてもよい。
また、以上のラジオ放送受信装置は、自動車に搭載される車載のラジオ放送受信装置であってよい。
【発明の効果】
【００２０】
以上のように、本発明によれば、一時的に受信不能となった放送が受信可能な状態に遷移したときの、当該放送の受信可能な放送としての登録の復帰を速やか、かつ、より適正に行うことができる。
【図面の簡単な説明】
【００２１】
【図１】本発明の実施形態に係るラジオ放送受信装置の構成を示すブロック図である。
【図２】本発明の実施形態に係るラジオ放送受信装置のメモリに格納するステーションリストを示す図である。
【図３】本発明の実施形態に係るラジオ放送受信装置の表示例を示す図である。
【図４】本発明の実施形態に係るステーション登録動作制御処理を示すフローチャートである。
【図５】本発明の実施形態に係るステーション登録処理を示すフローチャートである。
【図６】本発明の実施形態に係るステーション復帰処理を示すフローチャートである。
【図７】本発明の実施形態に係るラジオ放送受信装置の動作例を示す図である。
【発明を実施するための形態】
【００２２】
以下、本発明の実施形態について説明する。
図１に、本実施形態に係るラジオ放送受信装置の構成を示す。
ここで、本実施形態に係るラジオ放送受信装置は、たとえば、自動車に搭載されるカーラジオや、ポータブルラジオ受信機などの、位置が変動するラジオ放送受信装置である。
さて、図示するように、ラジオ放送受信装置は、二つの受信部１、セレクタ２、オーディオ信号処理部３、スピーカ４、制御部５、メモリ６、操作部７、表示部８を備えている。
【００２３】
そして、二つの受信部１の各々は、RDS（Radio Data System）によってデータが音声に多重化されて放送されるFM放送を受信する受信装置であり、各受信部１はアンテナ１１とチューナ１２とより構成されている。また、各受信部１のチューナ１２は、FMフロントエンド１２１（FM F/E１２１）、FM復調部１２２、ＲＤＳデコーダ１２３を備えている。
【００２４】
また、各チューナ１２において、FMフロントエンド１２１は、制御部５から受信周波数として設定された周波数の周波数チャネルを受信し、受信信号をFM復調部１２２に送る、FM復調部１２２は受信信号から音声信号を復調してセレクタ２に送る。また、FM復調部１２２は、受信信号に、RDS（Radio Data System）によって音声信号に多重化されて送信されたデータ信号が含まれている場合には、これをＲＤＳデコーダ１２３に送り、ＲＤＳデコーダ１２３はデータ信号からデータをデコードし制御部５に送る。ここで、ＲＤＳデコーダ１２３が制御部５に送るデータには、設定された受信周波数の周波数チャネルで放送されているプログラム（番組）の識別子となるPI(Program Identification)と、や、当該プログラム（番組）のジャンルを表すPTY(Program Type)や、当該プログラムと同じPIのプログラムを放送している他のFM放送の周波数である代替周波数のリストであるAFや、設定された受信周波数の周波数チャネルで放送を行っている放送局の放送局名を表すPS (Program Service)などが含まれる。
【００２５】
また、各チューナ１２において、FMフロントエンド１２１は、設定された受信周波数の周波数チャネルの受信電界強度やＳＮ比などから、設定された受信周波数の周波数チャネルのFM放送の受信品質Qrを算定し制御部５に通知する。
【００２６】
ここで、制御部５は、二つの受信部１のうちの一方の受信部１のチューナ１２をフォアグランドチューナ、他方の受信部１のチューナ１２をバックグランドチューナとして用い、セレクタ２にフォアグランドチューナのFM復調部１２２から入力する音声信号をオーディオ信号処理部３に出力させる。オーディオ処置部は、セレクタ２から入力する音声信号の周波数特性の調整や増幅を行ってスピーカ４に出力する。
【００２７】
次に、本実施形態において、メモリ６には、ステーションリストが格納される。
ステーションリストは、現在受信可能な周波数チャネルを登録したリストであり、図２に示すように、ステーションリストには、現在受信可能な周波数チャネルの各々に対応して設けられたエントリ（図の各行）を有し、各エントリに対応する周波数チャネルの放送の周波数とPIとPS等がステーション情報として登録される。
【００２８】
ここで、このステーションリストへのステーション情報の登録動作については後述する。
さて、このようなラジオ放送受信装置の構成において、制御部５は、図３に示すように、表示部８にステーションリストに登録されている放送局の周波数とPS（放送局名）の一覧を表示し、操作部７を介してユーザの一覧中からの放送局の選択を受け付け、選択を受け付けた放送局の周波数を受信周波数としてフォアグランドチューナに設定することにより、フォアグランドチューナで受信する周波数チャネルを切り替える処理などを行う。
【００２９】
以下、ステーションリストへの周波数チャネルの登録動作について説明する。
制御部５は、ラジオ放送受信装置が起動すると、ステーション登録動作制御処理を行う。
図４に、このステーション登録動作制御処理の手順を示す。
図示するように、制御部５は、ステーション登録動作制御処理において、まず、ステーションリスト登録処理を開始する（ステップ４０２）。
図５に、このステーションリスト登録処理の手順を示す。
図示するように、ステーションリスト登録処理では、制御部５は、まず、バックグランドチューナの受信周波数Frを、FM放送が行われ得る周波数範囲の最小の周波数に設定する（ステップ５０２）。
【００３０】
そして、バックグランドチューナから受信周波数Frの周波数チャネルの受信品質Qrを取得する（ステップ５０４）。
そして、受信品質Qrが予め定めておいたしきい値Thより良好であるかどうかを調べ（ステップ５０６）、良好でなければ、ステップ５１４に進む。
ここで、しきい値Thの値は、受信品質がしきい値Thより良好な周波数チャネルであれば、その周波数チャネルで受信した音声を良好に出力できることが保証できる値を設定する。
【００３１】
一方、受信品質Qrがしきい値Thより良好である場合には（ステップ５０６）、バックグランドチューナのＲＤＳデコーダ１２３から受信周波数Frの周波数チャネルで受信したPI、PS等を取得する（ステップ５０８）。ここで、周波数チャネルからのPI、PS等の取得には比較的長時間を要する。
【００３２】
そして、ステーションリストに、新たなエントリを作成し、作成したエントリに、受信周波数Fr、PI、PS等をステーション情報として登録する（ステップ５１０）。そして、ステップ５１２に進む。
【００３３】
そして、ステップ５１２に進んだならば、ステーションリストに登録されている各ステーション情報の周波数の周波数チャネルの受信品質を、バックグランドチューナに各周波数チャネルを受信させて調査し、受信品質がしきい値Thより良好でない周波数を含むステーション情報のエントリをステーションリストから削除する。そして、ステップ５１４に進む。
【００３４】
次に、以上のようにしてステップ５０６またはステップ５１２からステップ５１４に進んだならば、前回ステップ５０４で受信品質Qrを取得した受信周波数FrがFM放送が行われ得る周波数範囲の最大の周波数であるかどうかを調べ（ステップ５１４）、最大の周波数であればステップ５０２からの処理に戻る。
【００３５】
一方、受信周波数FrがFM放送が行われ得る周波数範囲の最大の周波数でない場合には（ステップ５１４）、FM放送が行われ得る周波数チャネル間の最小の周波数間隔（たとえば、100kHz）を１ステップとして、バックグランドチューナに設定する受信周波数Frを１ステップ増加し（ステップ５１６）、ステップ５０４からの処理に戻る。
【００３６】
以上、制御部５が、ステーション登録動作制御処理のステップ４０２で開始する、ステーションリスト登録処理について説明した。
図４に戻り、このようなステーションリスト登録処理を開始したならば（ステップ４０２）、制御部５は、電波の受信環境の劣化の発生を監視する（ステップ４０４）。ここで、電波の受信環境の劣化の検出は、たとえば、ステーションリストに登録されているステーション情報の数が、所定の単位期間中に所定数より多く減少したときに、電波の受信環境の劣化を検出することにより行う。
【００３７】
そして、電波の受信環境の劣化が発生したならば（ステップ４０４）、電波の受信環境が劣化する直前のステーションリストを待避リストしてメモリ６に保存する（ステップ４０６）。ここで、制御部５は、一定期間、各時点におけるステーションリストをステーションリストの履歴として保持しており、ステップ４０６では、ステーションリストの履歴として保持されている、ステップ４０４で検出した電波の受信環境の劣化の発生の直前、すなわち、ステーションリストに登録されているステーション情報の数が所定の単位期間中に所定数より多く減少する直前のステーションリストを待避リストしてメモリ６に保存する。
【００３８】
そして、メモリ６に待避リストを保存したならば（ステップ４０６）、次に、ステーションリストにステーション情報がｎ個（たとえば３個）追加されるのを待つ（ステップ４０８）。ここで、ステーションリストへのステーション情報のｎ個の追加の発生は電波の受信環境の回復を表している。
【００３９】
そして、ステーションリストにステーション情報がｎ個追加されたらば（ステップ４０８）、追加されたｎ個のステーション情報の全てが待避リストに登録されているかどうかを調べ（ステップ４１０）、いずれか一つでも登録されていない場合には、ステップ４０４からの処理に戻る。
【００４０】
一方、追加されたｎ個のステーション情報の全てが待避リストに登録されている場合には（ステップ４１０）、図５に示したステーション登録処理の実行を停止した上で（ステップ４１２）、ステーション復帰処理を実行し（ステップ４１４）、ステーション復帰処理を終了したならば、ステーション登録処理の実行を再開し（ステップ４１６）、ステップ４０４からの処理に戻る。
【００４１】
ここで、図６にステップ４１４で実行するステーション復帰処理の手順を示す。
図示するように、ステーション復帰処理において制御部５は、待避リストに登録されている各ステーション情報を順次、処理対象のステーション情報として（ステップ６０２、６１４、６１６）、処理対象のステーション情報について以下の処理を行う。
【００４２】
すなわち、まず、待避リストの今回処理対象としたステーション情報と同じステーション情報がステーションリストに登録されているかどうかを調べ（ステップ６０４）、登録されていれば、今回処理対象としたステーション情報についての処理を終了する。
【００４３】
一方、待避リストの今回処理対象としたステーション情報と同じステーション情報がステーションリストに登録されていない場合には（ステップ６０４）、バックグランドチューナの受信周波数Frを、待避リストの今回処理対象としたステーション情報に登録されている周波数に設定する（ステップ６０６）。
【００４４】
そして、バックグランドチューナから受信周波数Frの周波数チャネルの受信品質Qrを取得する（ステップ６０８）。
そして、受信品質Qrがしきい値Thより良好であるかどうかを調べ（ステップ６１０）、良好でなければ、今回処理対象としたステーション情報についての処理を終了する。
【００４５】
一方、受信品質Qrがしきい値Thより良好である場合には（ステップ６１０）、ステーションリストに、新たなエントリを作成し、今回処理対象としたステーション情報を、ステーションリストの作成したエントリに登録する（ステップ６１２）。そして、今回処理対象としたステーション情報についての処理を終了する。
【００４６】
以上、制御部５が行うステーション登録動作制御処理について説明した。
以下、このようなステーション登録動作制御処理による、放送電波の受信環境劣化時の動作例を示す。
いま、放送電波の受信環境が良好であり、PI等の取得を伴うステーション登録処理によるｍ受信可能な放送のステーション情報のステーションリストへの登録と、受信不可となったステーション情報のステーションリストからの削除の結果、ステーションリストに図７ａに示すように１６個のステーション情報が登録されているものとする。そして、この状態で、自動車がトンネルや地下駐車場などの電波の受信が困難なエリアに進入すると、ステーション登録処理によって、ステーションリストのステーション情報が急激に減少し、電波の受信環境の劣化が検出され、検出直前の図７ａのステーションリストが図７ｂに示す待避リストとして保存される。
【００４７】
そして、その後、ステーションリストに登録されているステーション情報が図７ｃに示すように２つのステーション情報まで減少した後に、自動車が電波の受信が困難なエリアから退出し、ステーション登録処理によって、ステーションリストにｎ個のステーション情報が追加されると、追加されたｎ個のステーション情報の全てが図７ｂに示す待避リストに登録されているかどうかが判定される。
【００４８】
すなわち、ｎが３である場合には、ステーションリストに登録されているステーション情報が図７ｃに示すように２つのステーション情報まで減少した後に、ステーションリストに図７ｄ１や図７ｄ２に示すように、３つのステーション情報が追加され、ステーションリストに登録されているステーション情報の数が５個となると、追加された３つのステーション情報の全てが図７ｂに示す待避リストに登録されているかどうかが判定される。
【００４９】
ここで、自動車が退出した電波の受信が困難なエリアが地下駐車場や比較的短いトンネルである場合には、電波の受信が困難なエリアに進入する直前の自動車の位置と電波の受信が困難なエリアから退出した位置は大きく離れていないので、両位置で受信できる放送に相違は生じない。したがって、この場合には、図７ｄ１に示すように、ステーションリストに追加された３つのステーション情報の全てが待避リストにも登録されていることなる。換言すれば、ステーションリストに追加された３つのステーション情報の全てが待避リストに登録されている場合、電波の受信環境が劣化する直前と現時点で受信できる放送に相違がないことが推定できる。
【００５０】
そして、ステーションリストに追加された３つのステーション情報の全てが待避リストに登録されている場合、ステーション復帰処理によって、待避リストに登録されている各ステーション情報に登録されている周波数の周波数チャネルの受信品質が、当該周波数チャネルからPI等を取得することなく調査され、受信品質が良好な周波数のステーション情報が、図７eに示すようにステーションリストに登録される。結果、電波の受信が困難なエリアに進入したために一時的に受信不能となった各放送のステーション情報のステーションリストへの登録、すなわち、一時的に受信不能となった放送のステーション情報のステーションリストへの復帰が迅速に完了する。
【００５１】
そして、以降は、PI等の取得を伴うステーション登録処理によるステーション情報のステーションリストへの登録と、受信不可となったステーション情報のステーションリストからの削除が継続的に行われる。
【００５２】
一方、自動車が退出した電波の受信が困難なエリアが比較的長いトンネルである場合には、電波の受信が困難なエリアに進入する直前の自動車の位置と電波の受信が困難なエリアから退出した位置は大きく離れているので、両位置で受信できる放送に相違が生じることがある。したがって、この場合には、図７ｄ２に示すように、ステーションリストに追加された３つのステーション情報には、待避リストに登録されていないステーション情報が含まれている蓋然性が大きい。換言すれば、ステーションリストに追加された３つのステーション情報の全てが待避リストに登録されていない場合、電波の受信環境が劣化する直前と現時点で受信できる放送に相違があると判定することができる。
【００５３】
そして、このように、電波の受信環境が劣化する直前と現時点で受信できる放送に相違があると判定できる場合には、ステーション復帰処理による待避リストからのステーション情報の復帰は行われず、PI等の取得を伴うステーション登録処理が継続して行われる。
ここで、電波の受信が困難なエリアに進入する直前の自動車の位置と電波の受信が困難なエリアから退出した位置とで、異なる放送が同じ周波数で受信可能な場合であっても、両放送のPIの値は異なるので、ステーション情報は異なったものとなる。したがって、この場合でも、電波の受信が困難なエリアに進入する直前の自動車の位置で受信できていた、現時点で受信ができない放送のステーション情報を、誤ってステーションリストに復帰してしまうことはない。
【００５４】
以上、本発明の実施形態について説明した。
なお、以上の実施形態は、図６に示したステーション復帰処理を、待避リストに登録されているステーション情報のうちの、ステーションリストに登録されていないステーション情報をステーションリストに登録する処理に置き換えて実施するようにしてもよい。
【００５５】
このようにすることにより、ステーションリストに追加されたｎ個のステーション情報の全てが待避リストに登録されている場合、すなわち、電波の受信環境が劣化する直前と現時点で受信できる放送に相違がないことが推定できる場合に、より迅速に、一時的に受信不能となった放送のステーション情報をステーションリストへ復帰できるようになる。
【符号の説明】
【００５６】
１…受信部、２…セレクタ、３…オーディオ信号処理部、４…スピーカ、５…制御部、６…メモリ、７…操作部、８…表示部、１１…アンテナ、１２…チューナ、１２１…フロントエンド、１２２…復調部、１２３…ＲＤＳデコーダ。
【図１】
2019033367.tif 000003
【図２】
2019033367.tif 000004
【図３】
2019033367.tif 000005
【図４】
2019033367.tif 000006
【図５】
2019033367.tif 000007
【図６】
2019033367.tif 000008
【図７】
2019033367.tif 000009